(57)【特許請求の範囲】
【請求項１】
アーチ状に構成された複数の連結杆（３），（３），（４）と、前記連結杆（３），（３），（４）の取付部（５），（５），（６）を備えた一対の基台（２），（２）と、前記基台（２），（２）に設けたベッドの側枠への差込部材（１２），（１２）とからなる離被架において、前記連結杆（３），（３），（４）を前記基台（２），（２）の取付部（５），（５），（６）を介してそれぞれ回動自在に架設するとともに、前記差込部材（１２），（１２）を前記基台（２），（２）の差込部材取付手段（７），（７）を介して上下回動又は上下摺動自在に取り付け前記基台（２），（２）の底面から出入自在となるよう構成することにより、前記基台（２），（２）を離間させるとともに前記差込部材（１２），（１２）を上方回動または上方に摺動させた状態では離被架としての形態となりベッド上に載置でき、前記基台（２），（２）を略一直線状になるよう回動させるとともに前記差込部材（１２），（１２）を下方回動または下方に摺動させた状態ではベッドの側柵としての形態となりベッドの側枠に設けられた取付孔に差し込めるよう構成したことを特徴とする離被架。
【発明の詳細な説明】
【０００１】
【発明の属する技術分野】
本発明は、ベッドの側柵として使用できる離被架に関するものである。
【０００２】
【従来の技術】
従来から患者または療養者の症状によっては蒲団などで身体を圧迫しないように離被架が使用されている。しかし、現在市販されている離被架には、別の用途が無く、患者または療養者の症状が回復すると収納しておくか廃棄してしまうことになってしまう。さらに、これらの離被架は円弧で立体的に構成されているため収納には適していない。
【０００３】
【発明が解決しようとする課題】
本発明は、上記問題点に鑑みなされたものであり、離被架として使用しない時にはベッドの側柵として使用できる離被架を提供することを課題としている。
【０００４】
【課題を解決するための手段】
本発明は上記課題を解決するために、次のようにした。すなわち、本発明の離被架はアーチ状に構成された複数の連結杆（３），（３），（４）と、前記連結杆（３），（３），（４）の取付部（５），（５），（６）を備えた一対の基台（２），（２）と、前記基台（２），（２）に設けたベッドの側枠への差込部材（１２），（１２）とからなる離被架において、前記連結杆（３），（３），（４）を前記基台（２），（２）の取付部（５），（５），（６）を介してそれぞれ回動自在に架設するとともに、前記差込部材（１２），（１２）を前記基台（２），（２）の差込部材取付手段（７），（７）を介して上下回動又は上下摺動自在に取り付け前記基台（２），（２）の底面から出入自在となるよう構成することにより、前記基台（２），（２）を離間させるとともに前記差込部材（１２），（１２）を上方回動または上方に摺動させた状態では離被架としての形態となりベッド上に載置でき、前記基台（２），（２）を略一直線状になるよう回動させるとともに前記差込部材（１２），（１２）を下方回動または下方に摺動させた状態ではベッドの側柵としての形態となりベッドの側枠に設けられた取付孔に差し込めるよう構成したことを特徴とする。
【０００５】
【作用】
離被架として使用する際には、基台を左右に離間させるだけである。この状態でベッド上に置くと差込部材が基台底面から突出しなくなり、基台の底面全体で支持でき、安定して使用できる。
【０００６】
また、ベッドの側柵として使用する際には、基台を一直線状になるように回動させるだけである。この状態では複数の連結杆が平面視において略一直線状になる。そして、差込部材を基台底面から突出させ、これをベッドの側枠の取付孔に差し込み、使用する。
【０００７】
前述のように、該離被架は離被架として使用しない時にはベッドの側柵として使用することができるため、収納する必要が無くなり有効に使用することができる。
【０００８】
【実施例】
以下、本発明の一実施例を図面に基づいて説明する。なお、本発明に係る離被架を離被架として使用する際の形態を基準として上下、左右としている。
この離被架１は、左右一対の基台２，２を備えている。該基台２には連結杆３，４の取付部５，６と差込部材取付手段７を設けている。該取付部５は前記基台２の底面に取付ボルト８を挿入する孔２ａと該基台２上面に該取付ボルト８のネジ径よりやや大きい孔２ｂを設け、さらに該基台２上面に連結杆３を挿通させる支持パイプ９を固着してなる。なお、前記基台２には、該取付部５を２箇所設けている。
【０００９】
また、前記取付部６は前記基台２の上面に連結杆４を挿通させる孔２ｃを設け、基台上面に連結杆４を挿通させる支持パイプ１０を固着している。該支持パイプ１０上面には連結杆４の外径と略同一の孔部１０ａと後述する連結杆４の凸部４ａが出入可能な孔部１０ｂを設けている。
【００１０】
連結杆３は正面視において下方側が開放した台形状のパイプ３ａの両下端部内にナット３ｂを固着したものであり、さらに側面視において上下方向の略中央部から前後方向の外側に屈曲したものである。また、連結杆４は連結杆３と同様の形状とし、両下端部近傍に凸部４ａ，４ｂを設けている。前記凸部４ａは凸部４ｂの裏面の上方に位置するように配置する。なお、本実施例では該連結杆３，４の形状は下方が開放された台形状のものであるが、正面視において下方側が開放された凹部空間を形成する形状であれば良く、例えばコ字状やＵ字状などでも何ら問題はなく、アーチ状に構成されていれば良い。
【００１１】
前記連結杆３を左右一対の基台２の取付部５に夫々挿通し、該基台２の底面側から取付ボルト８を取り付け、抜け防止とする。
前記連結杆４は左右一対の基台２の取付部６に夫々挿通させている。該連結杆４は前記基台２を直線状に回動させ、上方に摺動させると凸部４ａが孔部１０ｂから出るが凸部４ｂにより抜け出ることがなく、この状態で基台２を互いに離間するように回動させることによって該凸部４ａが孔部１０ａに係止し、連結杆４の高さが高くなるよう構成している。すなわち連結杆４は下端部が基台２の底面に当接している状態での高さと凸部４ａが孔部１０ａの上面に当接している時の高さの２段階に調節可能であり、症状によって使い分けができるように構成されている。
なお、本実施例では、連結杆３と取付部５を前記基台２の両端部近傍に配し、その略中央部に連結杆４と取付部６を配しているが、これらの組み合わせは本実施例に限定されるものではない。例えば連結杆３と取付部５のみで構成したり、連結杆４と取付部６を中央部に２ヵ所とする構成でも何ら問題は無い。
【００１２】
前記差込部材取付手段７は、前記基台２に軸受体１１を固着し、該軸受体１１内で摺動可能な差込部材１２を挿通させてなる。該差込部材１２には前後方向に開口部を持つ空孔部１２ａを設け、前記軸受体１１に該差込部材１２をピン１３で取り付ける。すなわち該差込部材１２は、空孔部１２ａがピン１３に沿って上下に摺動可能であり、ベッド上に本離被架を設置すると差込部材１２は自動的に上方に摺動し前記基台２底面と同一面を形成し安定した設置ができる。
また前記差込部材取付手段７は、図７に示すように前記基台２に差込部材１２を前後方向に回動自在になるようピン１３で取り付けてもよい。この時には、前記基台２底面に開口部２ｄを設けておけば差込部材１２が基台２内に格納できるようになり離被架として設置する際、安定する。
【００１３】
この離被架を使用する際には、基台２を互いに離間させるように回動させるだけで良い。症状によっては連結杆４を上方に摺動させた後、回動させれば連結杆４が高くなる。
【００１４】
そして、ベッドの側柵として使用する際には、基台２を一直線上になるように回動することにより連結杆３，４も略直線状になる。次に差込部材１２，１２をベッドの側枠の孔部に差し込むことによりベッドの側柵として使用できる。なお、連結杆の高さとベッドの側柵の高さを同じにしておくとテーブルを乗せて使用できる。
【００１５】
【発明の効果】
以上に説明したように、本発明の離被架はベッドの側柵としても使用できる。そのため、離被架として使用しないときに収納しておく必要が無くなるなるだけでなく、側柵と離被架を別々に購入する必要がなくなり有効に使用することができる。
【図面の簡単な説明】
【図１】  本発明にかかる離被架の全体平面図
【図２】  その全体側面図
【図３】  その全体正面図
【図４】  取付部５を示す側断面図
【図５】  取付部６を示す側断面図
【図６】  取付手段を示す側断面図
【図７】  別の実施例の取付手段を示す側断面図
【図８】  ベッドの側柵としたときの全体平面図
【図９】  その側面図
【符号の説明】
１    離被架
２    基台
３    連結杆
４    連結杆
７    取付手段
１２  差込部材
【図１】
0004148484.tif 000002
【図２】
0004148484.tif 000003
【図３】
0004148484.tif 000004
【図４】
0004148484.tif 000005
【図５】
0004148484.tif 000006
【図６】
0004148484.tif 000007
【図７】
0004148484.tif 000008
【図８】
0004148484.tif 000009
【図９】
0004148484.tif 000010